【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
集音装置から、前記集音装置を取り囲む複数の参加者が発した音声を取得する取得部と、
前記複数の参加者それぞれに対して設定された位置に基づいて、前記複数の参加者それぞれが発した前記音声を分析する分析部と、
前記分析部が分析している前記音声の途中において、前記分析部が分析している前記音声を発した音源の前記集音装置を基準とする向きが、前記複数の参加者に対して設定された前記位置のいずれにも対応しない場合に、前記複数の参加者に対して設定された前記位置を更新する追従部と、
を有し、
前記追従部は、前記分析部が分析している前記音声の特徴と、前記複数の参加者それぞれが発する音声の特徴とを比較することによって、前記分析部が分析している前記音声の特徴に類似する特徴を有する音声を発する前記参加者を選択し、選択した前記参加者の位置を、前記分析部が分析している前記音声を発した前記音源の前記集音装置を基準とする向きに更新する、音声分析装置。
【請求項２】
前記追従部は、前記分析部が分析している前記音声の特徴と、前記分析部が分析している前記音声の開始時の前記複数の参加者それぞれの音声の特徴との類似度を算出し、前記類似度が所定の条件を満たす前記参加者を選択する、
請求項１に記載の音声分析装置。
【請求項３】
前記追従部は、前記分析部が分析している前記音声の特徴と、予め記憶部に記憶された前記複数の参加者それぞれの音声の特徴との類似度を算出し、前記類似度が所定の条件を満たす前記参加者を選択する、
請求項１に記載の音声分析装置。
【請求項４】
前記分析部が分析している前記音声が発せられた向きと、前記複数の参加者それぞれに対して設定された前記位置に対応する向きとの間の差に応じて前記複数の参加者それぞれの前記類似度を重み付けし、重み付けされた前記類似度が所定の条件を満たす前記参加者を選択する、
請求項２又は３に記載の音声分析装置。
【請求項５】
前記参加者に関する情報として前記集音装置から音声を取得し、取得した前記音声が発せられた向きを特定することによって、前記複数の参加者それぞれの位置を設定する設定部をさらに有する、請求項１から４のいずれか一項に記載の音声分析装置。
【請求項６】
前記参加者に関する情報として前記集音装置が有する撮像部が撮像した画像を取得し、取得した前記画像に含まれる前記複数の参加者の顔を認識することによって、前記複数の参加者それぞれの位置を設定する設定部をさらに有する、請求項１から４のいずれか一項に記載の音声分析装置。
【請求項７】
前記集音装置は、カードに記録された情報を読み取る読取部を有し、
前記読取部が読み取った前記カードに記録された情報を取得し、前記カードに記録された情報と、前記読取部において指定された向きに従って、前記複数の参加者それぞれの位置を設定する設定部をさらに有する、請求項１から４のいずれか一項に記載の音声分析装置。
【請求項８】
プロセッサが実行する、
集音装置から、前記集音装置を取り囲む複数の参加者が発した音声を取得するステップと、
前記複数の参加者それぞれに対して設定された位置に基づいて、前記複数の参加者それぞれが発した前記音声を分析するステップと、
前記分析するステップで分析されている前記音声の途中において、前記分析するステップで分析されている前記音声を発した音源の前記集音装置を基準とする向きが、前記複数の参加者に対して設定された前記位置のいずれにも対応しない場合に、前記複数の参加者に対して設定された前記位置を更新するステップと、
を有し、
前記更新するステップは、前記分析するステップで分析されている前記音声の特徴と、前記複数の参加者それぞれが発する音声の特徴とを比較することによって、前記分析するステップで分析されている前記音声の特徴に類似する特徴を有する音声を発する前記参加者を選択し、選択した前記参加者の位置を、前記分析するステップで分析されている前記音声を発した前記音源の前記集音装置を基準とする向きに更新する、音声分析方法。
【請求項９】
コンピュータに、
集音装置から、前記集音装置を取り囲む複数の参加者が発した音声を取得するステップと、
前記複数の参加者それぞれに対して設定された位置に基づいて、前記複数の参加者それぞれが発した前記音声を分析するステップと、
前記分析するステップで分析されている前記音声の途中において、前記分析するステップで分析されている前記音声を発した音源の前記集音装置を基準とする向きが、前記複数の参加者に対して設定された前記位置のいずれにも対応しない場合に、前記複数の参加者に対して設定された前記位置を更新するステップと、
を実行させ、
前記更新するステップは、前記分析するステップで分析されている前記音声の特徴と、前記複数の参加者それぞれが発する音声の特徴とを比較することによって、前記分析するステップで分析されている前記音声の特徴に類似する特徴を有する音声を発する前記参加者を選択し、選択した前記参加者の位置を、前記分析するステップで分析されている前記音声を発した前記音源の前記集音装置を基準とする向きに更新する、音声分析プログラム。
【請求項１０】
音声分析装置と、前記音声分析装置と通信可能な集音装置と、を備え、
前記音声分析装置は、
前記集音装置から、前記集音装置を取り囲む複数の参加者が発した音声を取得する取得部と、
前記複数の参加者それぞれに対して設定された位置に基づいて、前記複数の参加者それぞれが発した前記音声を分析する分析部と、
前記分析部が分析している前記音声の途中において、前記分析部が分析している前記音声を発した音源の前記集音装置を基準とする向きが、前記複数の参加者に対して設定された前記位置のいずれにも対応しない場合に、前記複数の参加者に対して設定された前記位置を更新する追従部と、
を有し、
前記追従部は、前記分析部が分析している前記音声の特徴と、前記複数の参加者それぞれが発する音声の特徴とを比較することによって、前記分析部が分析している前記音声の特徴に類似する特徴を有する音声を発する前記参加者を選択し、選択した前記参加者の位置を、前記分析部が分析している前記音声を発した前記音源の前記集音装置を基準とする向きに更新する、音声分析システム。
【請求項１１】
集音装置から、前記集音装置を取り囲む複数の参加者が発した音声を取得する取得部と、
前記複数の参加者それぞれに対して設定された位置に基づいて、前記複数の参加者それぞれが発した前記音声を分析する分析部と、
前記分析部が分析している前記音声の途中において、前記分析部が分析している前記音声を発した音源の前記集音装置を基準とする向きが、前記複数の参加者に対して設定された前記位置のいずれにも対応しない場合に、前記複数の参加者に対して設定された前記位置を更新する追従部と、
を有し、
前記追従部は、前記集音装置が有する撮像部が撮像した画像中の前記分析部が分析している前記音声が発せられた向きに位置する顔と、前記複数の参加者それぞれの顔とを比較することによって、前記分析部が分析している前記音声が発せられた向きに位置する顔に類似する顔を有する前記参加者を選択し、選択した前記参加者の位置を、前記分析部が分析している前記音声を発した前記音源の前記集音装置を基準とする向きに更新する、音声分析装置。
【請求項１２】
前記追従部は、前記分析部が分析している前記音声が発せられた向きに位置する顔と、前記分析部が分析している前記音声の開始時に前記撮像部が撮像した前記画像中の前記複数の参加者それぞれの顔との類似度を算出し、前記類似度が所定の条件を満たす前記参加者を選択する、
請求項１１に記載の音声分析装置。
【請求項１３】
前記追従部は、前記分析部が分析している前記音声が発せられた向きに位置する顔と、予め記憶部に記憶された前記複数の参加者それぞれの顔との類似度を算出し、前記類似度が所定の条件を満たす前記参加者を選択する、
請求項１１に記載の音声分析装置。
【請求項１４】
前記分析部が分析している前記音声が発せられた向きと、前記複数の参加者それぞれに対して設定された前記位置に対応する向きとの間の差に応じて前記複数の参加者それぞれの前記類似度を重み付けし、重み付けされた前記類似度が所定の条件を満たす前記参加者を選択する、
請求項１２又は１３に記載の音声分析装置。